(57)【要約】      （修正有）【課題】安全に早く簡単、かつ、確実にアイススクリュー本体を氷壁面にねじ込むことができるアイススクリュー用ねじ込み工具を提供する。【解決手段】筒状パイプの外周にらせん状の切刃を有し、その先端部に氷を切削するスクリュー刃を備えたアイススクリュー本体１２を、氷にねじ込む際の工具であって、アイススクリュー本体１２の後端部内に挿入される挿入軸４と、挿入軸４の一端がその軸方向中心部の一端に固定される回転体１と、回転体１の他端に設けられた回転ハンドル２と、アイススクリュー本体１２の後端部に設けられたアイススクリューハンドル１３の両端部を挟み込むようにして係止され、かつ、後端部が回転体１に固定された少なくとも一対の挟持片５と、を備える。【選択図】図１
0003192650.tif 000002
【実用新案登録請求の範囲】
【請求項１】
筒状パイプの外周にらせん状の切刃を有し、その先端部に氷を切削するスクリュー刃を備えたアイススクリュー本体を、前記氷にねじ込む際の工具であって、前記アイススクリュー本体の後端部内に挿入される挿入軸と、該挿入軸の一端がその軸方向中心部の一端に固定される回転体と、該回転体の他端に設けられた回転ハンドルと、前記アイススクリュー本体の後端部に設けられたアイススクリューハンドルの両端部を挟み込むようにして係止され、かつ、後端部が前記回転体に固定された少なくとも一対の挟持片５と、
を備えたことを特徴とするものである。
【請求項２】
前記回転ハンドルの端面に滑動円板を介して前記回転体と一体的に回動可能とした回転キャップを備えたことを特徴とするアイススクリュー用ねじ込み工具。
【請求項３】
前記回転体の内部にラチェット機構を設け、該ラチェット機構の中心軸の一部を前記回転体の外部に突出させ、この突出端部に水平面内で一方向に回転するラチェットハンドルを設けたことを特徴とする請求項１又は請求項２に記載のアイススクリュー用ねじ込み工具。
【考案の詳細な説明】
【技術分野】
【０００１】
本考案は、氷壁登攀を行う場合に氷壁面にねじ込んで使用するアイススクリューのねじ込み工具に関するものである。
【背景技術】
【０００２】
一般に登山で氷壁登攀を行う場合、氷壁にアイススクリューをねじ込み、安全性を確保している。しかし、現状では氷壁に打ち込んだアイスバイルにザイルを掛けて身体を支え、そのアイスバイスから両手を離し不安定な状態で、両手でアイススクリューのねじ込み操作をしている。あるいは、片手でアイスバイルを握り、もう一方の手、すなわち、片手で難しいアイススクリューのねじ込み作業を行っていた。
【先行技術文献】
【特許文献】
【０００３】
【特許文献１】特許国際公開WO２０１０−０２７９１公報
【考案の開示】
【考案が解決しようとする課題】
【０００４】
上記のように、アイススクリューのねじ込みは、アイスバイルにザイルを掛け、身体を支えて行ったり、片手のアイスバイルで上体を支え片手だけで行ったりして、不安定な状態での操作が長引いたり、アイススクリューを落下させるおそれがあった。
【０００５】
アイススクリュー頭部には、アイススクリュー自体を氷面にねじ込ませるために、当該アイススクリュー本体の直角方向にハンドルが装着されているが、ハンドルによりねじ込むためには、先端を安定し自立できる深さまで食い込ませなければならない。その際、アイススクリューを片手で、氷面に押し付けながら回転させるのは、指がアイススクリューハンドルに当たってしまい、手首を返して握り直す時に、当該アイススクリューを落とすおそれがあった。また、その作業は分厚い防寒手袋をはめて行うために、その作業が困難であり、かつ、熟練を要していた。
【課題を解決するための手段】
【０００６】
請求項１に記載の考案は、筒状パイプの外周にらせん状の切刃を有し、その先端部に氷を切削するスクリュー刃を備えたアイススクリュー本体を、前記氷にねじ込む際の工具であって、前記アイススクリュー本体の後端部内に挿入される挿入軸と、該挿入軸の一端がその軸方向中心部の一端に固定される回転体と、該回転体の他端に設けられた回転ハンドルと、前記アイススクリュー本体の後端部に設けられたアイススクリューハンドルの両端部を挟み込むようにして係止され、かつ、後端部が前記回転体に固定された少なくとも一対の挟持片５と、
を備えたことを特徴とするものである。
【０００７】
上記の構成によりアイススクリューのねじ込み作業中の誤操作による当該アイススクリューの落下を防ぎ、早く、確実に、しかも容易にその操作を行うことができる。
【０００８】
請求項２に記載の考案は、前記回転ハンドルの端面に滑動円板を介して前記回転体と一体的に回動可能とした回転キャップを備えたことを特徴とするものである。
上記の構成により、回転キャップを介してより回転ハンドルが回動し易くなり、操作性の向上と短時間のねじ込み作業が可能となる。
【０００９】
請求項３に記載の考案は、前記回転体の内部にラチェット機構を設け、該ラチェット機構の中心軸の一部を前記回転体の外部に突出させ、この突出端部に水平面内で一方向に回転するラチェットハンドルを設けたことを特徴とするものである。
上記の構成により、水平面内でラチェットハンドルの逆方向の回転が防止され、前記同様に工具の操作性とアイススクリューの氷面への素早いねじ込みが可能となる。
【考案の効果】
【００１０】
本考案は、上記のように構成したので、概略以下のような効果を奏する。
（１）アイススクリュー本体に設けたアイススクリューハンドルに対して挟持片がそれ自体のスプリングアクションにより当該アイススクリューハンドルの外周に嵌合するため、工具自体がアイススクリュー本体に確実に仮固定され、回転ハンドルの回動操作が容易となる。
【００１１】
（２）上記によりアイススクリューのねじ込み操作中の誤操作による当該アイススクリューの落下を防ぎ、早く、確実に、容易に行うことができる。このため、登攀者の不安定な状態を短時間に終わらせることができ、氷壁登攀の安全性を高めることができる。
【００１２】
（３）本考案のアイススクリュー用ねじ込み工具は、その構成が簡単であるため、特別な考慮を払うことなく、現在販売されている多くのアイススクリューに適用可能である。
【図面の簡単な説明】
【００１３】
【図１】本考案のアイススクリュー用ねじ込み工具の一実施例を示す正面図である。
【図２】同じくアイススクリュー用ねじ込み工具の平面図である。
【図３】上記アイススクリュー用ねじ込み工具の使用状態を示す正面図である。
【図４】上記アイススクリュー用ねじ込み工具の使用状態を示す縦断面図ある。
【図５】図4におけるAーA断面図である。
【図６】本考案の他の実施例を示し、回転ハンドルの代わりにラチェットハンドルを使用したアイススクリュー用ねじ込み工具の正面図である。
【図７】図6のアイススクリュー用ねじ込み工具の平面図である。
【考案を実施するための形態】
【００１４】
回転体の一方の端部に軸を軸止すると共に同端部外周部に、アイススクリューハンドルに固定するための弾性体の複数の挟持片を固定する。また、回転体と一体となった回転ハンドルをもう一方の端部に設ける。回転体の回転ハンドルに軸止した回転軸を回転キャップの軸穴に挿入し、抜け止めを取付ける。また、回転キャップと回転体ハンドルとの間には滑動円板が設けてあり、回転キャップと回転体及び回転体ハンドルとは回動自在で軽く作動するようになっている。
【００１５】
アイススクリュー本体への取付け方法は、回転体の挟持片側の軸をアイススクリュー本体の孔に挿入すると共に、挟持片アイススクリューハンドルを挟持する。軸及び挟持片とアイススクリューとは着脱自在となっている。
【実施例】
【００１６】
以下に、本考案の実施例を図を参照して説明する。
図において、１は回転体であって、一方の端部に回転体ハンドル２を設け、該回転体ハンドル２に回転軸３が軸止されている。また、前記回転軸３は回転キャップの軸孔に嵌挿した後、抜け止め８を取付ける。
【００１７】
さらに、回転体２と回転キャップ６の間に滑動円板９を設け、回転が軽くできるように構成している。
なお、回転キャップ６と回転体１に付属するものはすべて回転自在なっている。
【００１８】
上記回転体１と一体となっている回転体ハンドル２と反対側には、その中心部に軸４が軸止されている。
上記回転体１の一端近傍の外周部には、弾性を有する複数の挟持片５が固定されている。
なお、７は、回転キャップ６に穿った軸孔であり、この軸孔７に回転軸３を挿通し、その先端部が回転体１に固定されている。また、回転軸３の頭部の抜け止め８上には、回転キャップ６の表面と略面一として手のひらへの当たりを良くした蓋１０により閉栓されている。
上記回転キャップ６の一端には、取付孔１１が設けられ、ひも（図示省略）等を挿通し、腰等に結び付けることにより工具の落下を防ぐようにしている。
【００１９】
次に、上記のように構成の本考案のアイススクリュー用ねじ込み工具の使用方法について説明する。
先ず、筒状のアイススクリュー本体１２の孔に前記工具の軸４を挿入するとともに、複数の挟持片５でアイススクリューハンドル１３を挟持するように装着する（図５参照）。
次に、回転キャップ６と回転ハンドル２を片手で握り、アイススクリュー本体１２の先端部のスクリュー刃を氷壁面に当てがい、回転キャップ６を手のひらで押し付けながら右ねじであれば右方向に、左ねじであれば左方向に回転させることにより、アイススクリュー本体１２を氷壁面にねじ込ませることができる。
【００２０】
図６及び図7は、本考案の他の実施例を示すもので、ラチェット回転部１５内にラチェット機構を内蔵したもので、ラチェットハンドル１４を回転することにより内蔵のラチェット機構が動作するように構成したものである。
この機構によれば、ラチェットハンドル１４の逆回転が防止され、氷壁面へのスムーズなアイススクリュー本体１２のねじ込みが可能となる。
【符号の説明】
【００２１】
１    回転体
２    回転体ハンドル
３    回転軸
４    挿入軸
５    挟持片
６    回転キャップ
７    軸孔
８    抜け止め
９    滑動円板
１０  蓋
１１  取付孔
１２  アイススクリュー本体
１３  アイススクリューハンドル
１４  ラチェット回転部
１６  孔
【図１】
0003192650.tif 000003
【図２】
0003192650.tif 000004
【図３】
0003192650.tif 000005
【図４】
0003192650.tif 000006
【図５】
0003192650.tif 000007
【図６】
0003192650.tif 000008
【図７】
0003192650.tif 000009
【手続補正書】
【提出日】平成26年6月12日(2014.6.12)
【手続補正１】
【補正対象書類名】実用新案登録請求の範囲
【補正対象項目名】全文
【補正方法】変更
【補正の内容】
【実用新案登録請求の範囲】
【請求項１】
筒状パイプの外周にらせん状の切刃を有し、その先端部に氷を切削するスクリュー刃を備えたアイススクリュー本体を、前記氷にねじ込む際の工具であって、前記アイススクリュー本体の後端部内に挿入される挿入軸と、該挿入軸の一端がその軸方向中心部の一端に固定される回転体と、該回転体の他端に設けたられた回転ハンドルと、前記アイススクリュー本体の後端部に設けられたアイススクリューハンドルの両端部を挟むようにして係止され、かつ、後端部が前記回転体に固定された少なくとも一対の挟持片と、
を備えたことを特徴とするアイススクリュー用ねじ込み工具。
【請求項２】
前記回転ハンドルの端部に滑動円板を介して前記回転体と一体的に回動可能として回転キャップを備えたことを特徴とする請求項１に記載のアイススクリュー用ねじ込み工具。
【請求項３】
前記回転体の内部にラチェット機構を設け、該ラチェット機構の中心軸の一部を前記回転体の外部に突出させ、この突出端部に水平面内で一方向に回転するラチェットハンドルを設けたことを特徴とする請求項１又は請求項２のアイススクリュー用ねじ込み工具。